(57)【特許請求の範囲】
【請求項１】
信号を出力する信号源と、
前記信号源が出力した前記信号の一部を送信信号として出力するとともに前記送信信号の反射信号とが入力される信号分離器と、
制御信号にしたがって、前記信号分離器が出力した前記送信信号の位相を変化させる第１の位相制御器と、
前記第１の位相制御器が出力した前記送信信号を通過させ出力信号として出力するとともに、前記出力信号の一部を前記反射信号として出力する信号反射器と、
前記信号源が出力した前記信号の一部が基準信号として入力され、前記基準信号の位相と、前記信号反射器が出力し前記第１の位相制御器及び前記信号分離器を介した前記反射信号の位相とを比較し、その位相差に対応する前記制御信号を前記第１の位相制御器に出力する位相比較器と、
を備えることを特徴とする位相同期回路。
【請求項２】
前記信号反射器が前記反射信号に与える位相は、前記信号反射器が出力する前記送信信号に与える位相の整数倍であることを特徴とする請求項１に記載の位相同期回路。
【請求項３】
前記信号分離器が前記反射信号に与える位相が、前記信号分離器が前記信号に与える位相の整数倍であることを特徴とする請求項２に記載の位相同期回路。
【請求項４】
前記信号分離器は第１の９０度ハイブリッドであって、前記信号源が出力した前記信号の一部を出力端子から前記第１の位相制御器に出力し、前記出力端子から入力される前記反射信号を前記位相比較器に出力することを特徴とする請求項３に記載の位相同期回路。
【請求項５】
前記信号反射器は第２の９０度ハイブリッドであって、アイソレーション端子が終端され、第１の出力端子から出力される前記出力信号の一部を第２の出力端子に入力することを特徴とする請求項４に記載の位相同期回路。
【請求項６】
前記信号反射器が出力した前記送信信号を分配する第１の分配器と、
前記第１の分配器と同じ電気特性を有し、前記第１の分配器が分配した前記送信信号を分配し、分配した前記送信信号を前記第２の９０度ハイブリッドの前記第２の出力端子に出力する第２の分配器と、
を備えたことを特徴とする請求項５に記載の位相同期回路。
【請求項７】
前記信号源が出力した前記信号の位相を制御し、前記基準信号として前記位相比較器に出力する第２の位相制御器とを備えたことを特徴とする請求項５に記載の位相同期回路。
【発明の詳細な説明】
【技術分野】
【０００１】
本発明は、位相同期回路に関するものである。
【背景技術】
【０００２】
一般に位相同期回路では、ケーブル中をマイクロ波が伝搬する際、ケーブル周囲に温度変化やケーブルに対する振動があると、ケーブルの伸び縮みが生じるため、ケーブル長が変動する。したがって、ケーブルの伝送長変動により、ケーブル伝送後の信号に位相変動が生じる。このため、出力信号の位相安定性を高めて出力するには、ケーブル長の変動によって生じる位相変動を補償する必要がある。【０００３】
上記課題を解決するための従来の位相同期回路として、ケーブル長の変動によって位相変動が生じた信号を、ケーブルを伝送する前の信号と比較し、その変動を補償する回路がある（特許文献１）。【０００４】
従来の位相同期回路はマイクロ波信号源と信号分離器と遅延制御器と位相比較器と遅延制御器とケーブルと信号反射器から構成される。マイクロ波信号源から出力する信号は、信号分離器と位相比較器とに入力する。信号分離器に入力した信号は位相を変えて出力され、遅延制御器に入力する。遅延制御器に入力した信号は位相比較器からの制御信号に応じた通過位相で遅延制御器から出力され、ケーブルを通って信号反射器に入力される。信号反射器に入力した信号は信号反射器を通過して、本位相同期回路の出力信号となる。なお、信号反射器への入力信号の一部は反射される。信号反射器で反射された反射信号は、ケーブルと遅延制御器と信号分離器とを介して、位相比較器に入力される。【０００５】
位相比較器では、ケーブルと遅延制御器と信号分離器とを介した反射信号と、マイクロ波信号源からの信号との位相差を比較し、その位相差が一定（例えば、位相差＝０度）となるように、遅延制御器へ制御信号を出力する。【０００６】
このようには、従来の位相同期回路はフィードバック制御が構築されている。そのため、遅延制御器と信号反射器を繋ぐケーブルの伝送長が温度変化や振動によって変動しても、その位相変動を補償することができる。
【先行技術文献】
【特許文献】
【０００７】
特開２０１４−１１５６１号公報
【発明の概要】
【発明が解決しようとする課題】
【０００８】
上述したように、特許文献１に開示される位相同期回路では、信号反射器から出力される信号は、信号反射器を通過する際に信号反射器の通過位相が加わるため、位相同期回路に入力する信号の位相と出力する信号の位相との間に位相差が生じてしまう。このため、位相同期回路に入力する信号の位相と位相同期回路が出力する信号の位相とを一致させることはできないという課題があった。【０００９】
本発明は、上記の課題を解決するためになされたもので、従来の位相同期回路に対し、位相同期回路に対する入力信号の位相に出力信号の位相を一致させることができる位相同期回路を提供することを目的とする。
【課題を解決するための手段】
【００１０】
本発明の位相同期回路は、信号を出力する信号源と、信号源が出力した信号の一部を送信信号として出力するとともに送信信号の反射信号とが入力される信号分離器と、制御信号にしたがって、信号分離器が出力した送信信号の位相を変化させる第１の位相制御器と、第１の位相制御器が出力した送信信号を通過させ出力信号として出力するとともに、出力信号の一部を反射信号として出力する信号反射器と、信号源が出力した信号の一部が基準信号として入力され、基準信号の位相と、信号反射器が出力し第１の位相制御器及び信号分離器を介した反射信号の位相とを比較し、その位相差に対応する制御信号を第１の位相制御器に出力する位相比較器とを備える。
【発明の効果】
【００１１】
本発明によれば、位相同期回路の入力信号の位相と出力信号の位相とを一致させることができる。
【図面の簡単な説明】
【００１２】
【図１】実施の形態１に係る位相同期回路の一構成例を示す構成図である。
【図２】実施の形態１に係る信号分離器に用いられる９０度ハイブリッドの構成図である
【図３】実施の形態２に係る位相同期回路の一構成例を示す構成図である。
【図４】実施の形態２に係る信号反射器の他の構成例を示す構成図である。
【発明を実施するための形態】
【００１３】
実施の形態１.
図１は、実施の形態１に係る位相同期回路の一構成例を示す構成図である。
本位相同期回路は、信号分離器３９（信号分離器の一例）、位相制御器３（第１の位相制御器の一例）、ケーブル４、信号反射器４０（信号反射器の一例）、位相比較器７（位相比較器の一例）を備える。
【００１４】
以下、この発明の実施の形態１について図面を参照しながら詳細に説明する。なお、各図において、同一または相当する部分については、同一符号を付して説明する。また、各図中、ケーブルは実線で示している。
【００１５】
マイクロ波信号源１（信号源の一例）は、基準信号を信号分離器３９に出力する信号源である。例えば、マイクロ波信号源１には、正確な周波数を出力できる水晶発振器などが用いられる。
【００１６】
信号分離器３９は、マイクロ波信号源１が出力した基準信号を分配し、分配した一方の基準信号を本位相同期回路の基準信号として位相比較器７に出力し、分配したもう一方の基準信号を送信信号として位相制御器３に出力するとともに、信号反射器４０が反射した反射信号を位相比較器７に出力する信号分離器である。ここで、反射信号とは、信号分離器３９が出力し、信号反射器４０が反射した送信信号である。例えば、信号分離器３９には結合線路から成る９０度ハイブリッドなどが用いられる。
【００１７】
図２は、実施の形態１に係る信号分離器３９に用いられる９０度ハイブリッド３２の構成図である。９０度ハイブリッド３２（第１の９０度ハイブリッドの一例）は、第１の端子（入力端子）から第２の端子（第１の出力端子）への通過は位相を９０度変化させる。また、９０度ハイブリッド３２は、第１の端子（入力端子）から第４の端子（第２の出力端子）への通過及び第２の端子（第１の出力端子）から第３の端子（アイソレーション端子）への通過は位相を１８０度変化させる。以後、実施の形態１では信号分離器３９に９０度ハイブリッド３２を用いるとして説明する。
【００１８】
位相制御器３は、位相比較器７が出力した制御信号にしたがって、信号分離器３９が出力した送信信号の位相を変化させ、位相を変化させた送信信号を信号反射器４０に出力するとともに、信号分離器４０が反射した反射信号の位相を変化させ、位相を変化させた反射信号を信号分離器３９に出力する位相制御器である。位相制御器３は、３つの端子を有し、第１の端子（入力端子）から入力した信号を、第３の端子（制御端子）から入力される制御信号にしたがって通過位相を変化させて第２の端子（出力端子）から出力する。また、位相制御器３の第２の端子（出力端子）に信号が入力した場合は、位相制御器３は当該信号を制御信号にしたがって、第１の端子から第２の端子に出力する際と同じ量だけ通過位相を変化させて、第１の端子（入力端子）から出力する。例えば、位相制御器３にはシリコンＩＣ（Ｉｎｔｅｇｒａｔｅｄ  Ｃｉｒｃｕｉｔ）から成るものが用いられる。
【００１９】
ケーブル４は、位相制御器３と信号反射器４０とを繋ぎ、位相制御器３が出力した送信信号を信号反射器４０に出力するケーブルである。一方で、ケーブル４は、信号反射器４０が出力した反射信号を位相制御器３に出力する。例えば、ケーブル４には、同軸ケーブルなどが用いられる。
【００２０】
信号反射器４０は、位相制御器３が出力した送信信号の一部を本位相同期回路の出力信号として出力するとともに、送信信号の一部を反射信号として位相制御器３へ反射する信号反射器である。信号反射器４０は、２つの端子を有し、第１の端子（入力端子）から第２の端子（出力端子）への通過は位相を９０度変化させる。また、信号反射器４０は、第１の端子（入力端子）から入力された送信信号の一部を、位相を２７０度変化させ、第１の端子（入力端子）から反射信号として出力する。例えば、信号反射器４０には一端が終端された９０度ハイブリッドなどが用いられる。信号反射器４０は、９０度ハイブリッド３５（第２の９０度ハイブリッドの一例）の第３の端子（アイソレーション端子）を抵抗４０１で終端し、第２の端子（第１の出力端子）と第４の端子（第２の出力端子）とを繋ぐことで構成される。なお、９０度ハイブリッド３５の構成は、図２に示した９０度ハイブリッドと同一である。
【００２１】
位相比較器７は、信号分離器３９が出力した基準信号の位相と信号反射器４０が反射した反射信号の位相とを比較し、その位相差に応じた制御信号を位相制御器３に出力する位相比較器である。位相比較器７は、３つの端子を有し、第１の端子（第１の入力端子）と第２の端子（第２の入力端子）に入力される信号の位相同士を比較し、その位相差が０度となるように制御信号を第３の端子（出力端子）から位相制御器３に出力する。例えば、位相比較器７にはシリコンＩＣから成るものが用いられる。
【００２２】
次に、この発明の実施の形態１に係る位相同期回路の動作について、図１を参照しながら説明する。
【００２３】
マイクロ波信号源１は、基準信号を信号分離器３９に出力する。
【００２４】
信号分離器３９は、マイクロ波信号源１が出力した基準信号の位相を９０度変化させて第２の端子から位相制御器３に送信信号として出力する。また、信号分離器３９は、マイクロ波信号源１が出力した基準信号の位相を１８０度変化させて、第４の端子から位相比較器７に出力する。
【００２５】
位相制御器３は、位相比較器７からの制御信号に応じて信号分離器３９が出力した送信信号の位相を変化させて、位相を変化させた送信信号を第２の端子からケーブル４を介して信号反射器４０に出力する。
【００２６】
信号反射器４０は、第１の端子から入力された送信信号の一部を本位相同期回路の出力信号として出力する。また、信号反射器４０は、第２の端子から出力された出力信号の一部を第４の端子に入力し、位相を１８０度変化させて第１の端子から反射信号として出力する。信号反射器４０が第１の端子から出力した反射信号は、ケーブル４を介して位相制御器３の第２の端子に入力される。
【００２７】
位相制御器３は、位相比較器７が出力する制御信号にしたがって、信号反射器４０が出力した反射信号の位相を変化させ、位相を変化させた反射信号を信号分離器３９の第２の端子に出力する。
【００２８】
信号分離器３９は、位相制御器３が出力した反射信号の位相を１８０度変化させて、第３の端子から位相比較器７に出力する。
【００２９】
位相比較器７は、位相比較器７が出力した反射信号の位相と信号分離器３９が出力した基準信号の位相とを比較し、その位相差に対応する制御信号を位相制御器３に出力する。
【００３０】
位相制御器３は、位相比較器７が出力する制御信号にしたがって、送信信号及び反射信号の位相を変化させる。
【００３１】
このように制御することで、信号分離器３９と位相制御器３とケーブル４と信号反射器４０とを通過する際に生じる通過位相分をキャンセルすることができ、出力信号の位相と入力信号の位相（マイクロ波信号源１が出力する基準信号の位相）とを一致させることができる。
【００３２】
以下、数式を用いて、本位相同期回路の動作を説明する。
【００３３】
位相同期回路３８が出力する出力信号の位相θoutは、式（１）で示される。ここで、マイクロ波信号源１が出力する基準信号の初期位相をθ0、位相制御器３の通過位相をθtune、ケーブル４の通過位相をθcableとする。
【００３４】
【数１】
0006932290.tif 000002
【００３５】
マイクロ波信号源１が信号分離器３９（９０度ハイブリッド３２）を介して位相比較器７に出力する基準信号の位相θ1は、式（２）で示される。
【００３６】
【数２】
0006932290.tif 000003
【００３７】
信号反射器４０（９０度ハイブリッド３５）が第１の端子から出力し、ケーブル４と位相制御器３と信号分離器３９（９０度ハイブリッド３２）とを介して位相比較器７に入力される反射信号の位相θ2は、式（３）で示される。
【００３８】
【数３】
0006932290.tif 000004
【００３９】
位相比較器７は、信号分離器３９が出力する基準信号の位相と反射信号の位相とが等しくなるように位相制御器３を制御するので、定常状態においてθ1=θ2となる。よって、式（２）＝式（３）から以下の式（４）が得られる。
【００４０】
【数４】
0006932290.tif 000005
【００４１】
式（４）を式（１）に代入すると以下の式（５）が得られる。
【００４２】
【数５】
0006932290.tif 000006
【００４３】
式（５）から分かるように、位相同期回路３８に入力される基準信号の位相と位相同期回路３８が出力する出力信号の位相とは等しくなる。
【００４４】
以上のように、この実施の形態１によれば、信号分離器３９と信号反射器４０とに９０度ハイブリッドを用いて、出力信号の一部を反射信号として出力する信号反射器４０を用いて位相同期回路の反射信号と出力信号とを関連付けることで、本位相同期回路の入力信号（基準信号）の位相と出力信号（送信信号）の位相とを一致させることができる。
【００４５】
なお、実施の形態１では信号分離器３９と信号反射器４０とに９０度ハイブリッドを用いたが、次のような部品でも良い。
【００４６】
信号分離器３９は、第１の端子から第２の端子への通過は位相をθα度変化させ、第１の端子から第４の端子への通過及び第２の端子から第３の端子への通過は、位相を２θα度変化させる特徴を持つ部品であれば良い。
【００４７】
信号反射器４０は、第１の端子に入力された信号の位相をθα度変化させて第２の端子から出力するとともに、第１の端子に入力された信号の一部を、位相を３θα度変化させて第１の端子から出力する特徴を持つ部品であれば良い。
【００４８】
このように、信号分離器３９と信号反射器４０とは、９０度ハイブリッドでなくても、第１の端子から第３の端子への通過位相が第１の端子から第２の端子への通過位相の整数倍となる部品であれば良い。
【００４９】
実施の形態２．
実施の形態２では、信号分離器３９のアイソレーションが有限であって、基準信号の一部が反射信号出力端子に漏れこみ、反射信号の位相を変化させる場合であっても、位相同期回路の出力信号の位相を位相同期回路の入力信号の位相に一致させることができる構成を示す。
【００５０】
図３はこの発明の実施の形態２に係る位相同期回路の一構成例を示す構成図である。
図３に示す実施の形態２における位相同期回路４８は、基本的に、実施の形態１における位相同期回路３８に位相制御器４２（第２の位相制御器の一例）を追加し、信号分離器４０を信号分離器５１に変更したものである。位相制御器４２及び信号分離器５１以外の構成要素は同一であり、同一符号を付してその説明を省略する。
【００５１】
信号分離器５１は、マイクロ波信号源１が出力した信号を送信信号として位相制御器３に出力するとともに、信号反射器４０が出力した反射信号を位相比較器７に出力する信号分離器である。信号分離器５１は３つの端子を有し、第１の端子（入力端子）から第２の端子（第１の出力端子）への通過は位相を９０度変化させ、第２の端子（第１の出力端子）から第３の端子（アイソレーション端子）への通過は位相を１８０度変化させる。例えば、信号分離器５１には結合線路から成る９０度ハイブリッドなどが用いられる。９０度ハイブリッド３２の構成は図２と同様であるので説明を省略する。信号分離器５１は、９０度ハイブリッド３２の第４の端子（第２の出力端子）を抵抗５１１で終端することで実現できる。
【００５２】
位相制御器４２は、マイクロ波信号源１が出力した基準信号の位相を変化させ、位相を変化させた基準信号を位相比較器７に出力する位相制御器である。信号分離器３９において基準信号の一部がアイソレーション端子に漏れ込むことにより反射信号に位相シフトが生じるが、位相制御器４２は、その位相シフト分、基準信号の位相を変化させる。例えば、位相制御器４２には、シリコンＩＣから成るものが用いられる。
【００５３】
次に、この実施の形態２に係る位相同期回路の動作について、図３を参照しながら説明する。
マイクロ波信号源１が出力した基準信号は、信号分離器５１の第１の端子と位相制御器４２とに入力される。信号分離器５１は、第１の端子に入力された基準信号を２つに分岐する。分岐した１つの基準信号は信号分離器５１内の抵抗５１１で吸収される。
分岐したもう１つの基準信号は９０度位相を変化させて第２の端子から送信信号として出力され、位相制御器３に入力される。
【００５４】
以後の位相制御器３、ケーブル４、及び信号反射器４０の動作は、実施の形態１と同様であるため説明を省略する。送信信号の一部は、実施の形態１と同様に信号分離器４０で反射され、反射信号はケーブル４及び位相制御器３を介して信号分離器５１の第２の端子に入力される。
【００５５】
信号分離器５１は、第２の端子に入力された反射信号の位相を１８０度変化させ、１８０度位相を変化させた反射信号を第３の端子から位相比較器７に出力する。
【００５６】
一方でマイクロ波信号源１が出力した基準信号は、位相制御器４２に入力される。位相制御器４２は、信号分離器３９で基準信号の一部がアイソレーション端子に漏れ込むことにより生じる反射信号の位相シフト分、基準信号の位相を変化させ、位相を変化させた基準信号を位相比較器７に出力する。このようにすることで、基準信号の漏れこみによる反射信号の位相シフトを補償することができる。以降の動作は実施の形態１と同様であるため省略する。
【００５７】
このように構成することで、信号分離器５１を構成する９０度ハイブリッド３２の第１の端子から入力される基準信号が第３の端子に漏れこむことで生じる反射信号の位相シフトを補償することができ、位相制御器３を正しく制御できるようになる。
【００５８】
以下、各信号の位相関係から動作を説明する。
この発明の実施の形態２に係る位相同期回路４８が出力する送信信号の位相θout2は、式（６）で示される。以下の式（６）において、θ0は、信号分離器５１に入力される基準信号の位相である。
【００５９】
【数６】
0006932290.tif 000007
【００６０】
マイクロ波信号源１が位相制御器４２を介して位相比較器７に出力する基準信号の位相θ21は、式（７）で示される。
【００６１】
【数７】
0006932290.tif 000008
【００６２】
ここで、θvは位相制御器４２の通過位相を示し、θv=180+Δθ0である。Δθ0は、９０度ハイブリッド３２の第１の端子に入力された基準信号が第３の端子に漏れこむために生じる、反射信号の位相シフト量を示している。
【００６３】
信号反射器４０が出力し、ケーブル４と位相制御器３と９０度ハイブリッド３２とを介して位相比較器７に入力される反射信号の位相θ22は、式（８）で示される。
【００６４】
【数８】
0006932290.tif 000009
【００６５】
位相制御器４２は、θv=180+Δθ0となるように、基準信号の位相を制御する。なお、反射信号の位相シフト量Δθ0は、例えば、ネットワークアナライザー等を用いて９０度ハイブリッド３２の第２の端子に入力される反射信号の位相と第３の端子から出力される反射信号の位相とを測定し、位相差を算出することで求める。
【００６６】
本位相同期回路４８が十分に収束しているとき、位相比較器７で比較する基準信号の位相（θ21）と反射信号の位相（θ22）とは等しくなるので、θ21=θ22である。よって、式（７）＝式（８）とすると以下の式（９）が得られる。
【００６７】
【数９】
0006932290.tif 000010
【００６８】
式（９）を式（６）に代入すると式（１０）が得られる。
【００６９】
【数１０】
0006932290.tif 000011
【００７０】
θv=180+Δθ0であるから、θvを式（１０）に代入し、整理すると以下の式（１１）が得られる。
【００７１】
【数１１】
0006932290.tif 000012
【００７２】
式（１１）から分かるように、位相同期回路４８が出力する送信信号の位相と位相同期回路４８から入力される基準信号の位相とは等しくなる。
【００７３】
以上のように、この実施の形態２によれば、信号分離器５１を構成する９０度ハイブリッド３２のアイソレーションが有限であって、基準信号の一部が反射信号出力端子に漏れこみ、反射信号の位相を変化させる場合であっても、本位相同期回路は、出力信号の位相を位相同期回路に入力される入力信号の位相に一致させることができる。さらに、本位相同期回路は、９０度ハイブリッド３２の第２の端子に入力された反射信号が第４の端子に漏れこんでも、第４の端子は終端されているので、位相比較器７に入力される基準信号に影響を与えることはない。
【００７４】
なお、信号分離器５１は、第１の端子から第２の端子への通過位相がθα度変わり、第２の端子から第３の端子への通過位相が２θα度変わる特徴を持つ部品であれば良い。その場合、位相制御器４２は、基準信号の位相がθ0＋２θα＋Δθ0となるように位相を調整する。
【００７５】
上記の場合、信号反射器４０は、第１の端子に入力された信号の位相をθα度変化させて第２の端子から出力し、第１の端子から入力された信号の一部の信号の位相を３θα度変化させて第１の端子から反射信号として出力する特徴を持つ部品であれば良い。
【００７６】
このように、信号分離器５１と信号反射器４０とは、９０度ハイブリッドでなくても、第１の端子から第３の端子への通過位相が第１の端子から第２の端子への通過位相の整数倍となる部品であればと良い。
【００７７】
さらに、信号反射器４０の代わりに以下の構成の信号反射器４１を用いても良い。
【００７８】
図４は、信号反射器４１の一構成例である。
信号反射器４１は、９０度ハイブリッド３５、分配器３６（第１の分配器の一例）、分配器３７（第２の分配器の一例）を備える。
【００７９】
分配器３６は、９０度ハイブリッド３５が出力した送信信号を２分配し、分配した一方の送信信号を本位相同期回路の出力信号として出力するとともに、分配したもう一方の送信信号を分配器３７に出力する分配器である。分配器３６は３つの端子を有し、第１の端子に入力した信号を分配し、第２の端子と第３の端子とから出力する。その際、第１の端子と第２の端子との間の通過位相と第１の端子と第３の端子との間の通過位相とは等しい。例えば、分配器３６には、伝送線路から成る分配器、ウイルキンソン分配器等が用いられる。
【００８０】
分配器３７は、分配器３６と同一の通過特性を有する分配器であり、分配器３７が出力した信号を２分配し、分配した一方の信号を９０度ハイブリッド３５の第４の端子に送信信号の反射信号として出力し、分配したもう一方の信号を抵抗４１１に出力する。分配器３７は３つの端子を有し、第１の端子に入力した信号を分配器３６と同一の通過位相を与えて、第２の端子から９０度ハイブリッド３５の第４の端子へ出力する。分配器３７の第３の端子は抵抗４１１で終端する。
【００８１】
以上のように、同一の通過位相を持つ分配器を２つ用いて信号反射器４１を構成することで、分配器３６の通過位相の影響をキャンセルすることができ、位相同期回路４８の入力信号の位相と出力信号の位相とを一致させることができる。
【００８２】
実施の形態２において信号反射器４１を説明したが、信号反射器４１は実施の形態１で用いても良い。
【符号の説明】
【００８３】
１  マイクロ波信号源、３  ４２  位相制御器、  ４  ケーブル、  ７  位相比較器、  ３２  ３５  ９０度ハイブリッド、３６  ３７  分配器、３８  ４８  位相同期回路、３９  ５１  信号分離器、４０  ４１  信号反射器、４０１  ４１１  ５１１  抵抗。
【図１】
0006932290.tif 000013
【図２】
0006932290.tif 000014
【図３】
0006932290.tif 000015
【図４】
0006932290.tif 000016